(57)【要約】      （修正有）【課題】従来の高速自動電力制御と低速自動電力制御の相互短所を解決し、画面のバラツキなくし、プラズマ表示パネルの画面で輝度の急激な変化を防止する。【解決手段】複数のアドレス電極線と、互いに対をなしてジグザグに配列された複数の走査電極線と維持電極線を含むプラズマ表示パネルの自動電力制御方法であって、全ての負荷率を所定個数の区画に区分し、区分された各部分の輝度制御速度を異なるように決定してテーブルに保存する段階と、現在入力されているデータの負荷率を計算する段階と、計算された負荷率がどの区画に属するかを判断し、負荷率が属する区画によって決められた新たな輝度値が維持される時間の逆数である輝度制御速度を決定する段階と、決定された輝度制御速度で現在データの負荷率に該当する維持放電パルス情報を出力する段階とを含む。【選択図】図５
2009064026.tif 000002
【特許請求の範囲】
【請求項１】
複数のアドレス電極線と、互いに対をなしてジグザグに配列された複数の走査電極線と維持電極線を含むプラズマ表示パネルの自動電力制御方法であって、
全ての負荷率を所定個数の区画に区分し、区分された各部分の輝度制御速度を異なるように決定してテーブルに保存する段階と、
現在入力されているデータの負荷率を計算する段階と、
前記計算された負荷率がどの区画に属するかを判断し、前記負荷率が属する区画によって決められた新たな輝度値が維持される時間の逆数である輝度制御速度を決定する段階と、
決定された輝度制御速度で現在データの負荷率に該当する維持放電パルス情報を出力する段階とを含むプラズマ表示パネルの自動電力制御方法。
【請求項２】
前記全ての負荷率を所定個数の区画に区分する段階は、負荷率の高い区画へ行くほど輝度制御速度を速くし、負荷率が低い区画へ行くほど輝度制御速度を遅くすることを特徴とする、請求項１に記載のプラズマ表示パネルの自動電力制御方法。
【請求項３】
前記維持放電パルス情報に対応する維持パルスと走査パルスを各々生成して前記維持電極線と前記走査電極線に印加する第４段階をさらに含む、請求項１に記載のプラズマ表示パネルの自動電力制御方法。
【請求項４】
複数のアドレス電極線と、互いに対をなしてジグザグに配列された複数の走査電極線と維持電極線を含むプラズマ表示パネルの自動電力制御装置において、負荷率を所定個数に区分し、負荷率によって新たな輝度値が維持される時間の逆数である輝度制御速度を各部分ごとに異なるように決定して保存しているメモリと、外部から入力される映像信号の負荷率を測定する平均信号レベル感知部と、現在入力されているデータの負荷率による輝度制御速度を前記メモリを参照して決定し、決定された輝度制御速度で現在負荷率に該当する維持放電パルス情報を出力する電力制御部とを含むプラズマ表示パネルの自動電力制御装置。
【請求項５】
前記メモリに保存された輝度制御速度は、負荷率の高い区画へ行くほど輝度制御速度が速く、負荷率が低い区画へ行くほど輝度制御速度が遅いことを特徴とする、請求項４に記載のプラズマ表示パネルの自動電力制御装置。
【請求項６】
前記輝度制御速度は全ての負荷率を４つの区画に分けて時間対消費電力の曲線が３個の折れ曲がり点を有するようにすることを特徴とする、請求項５に記載のプラズマ表示パネルの自動電力制御装置。
【請求項７】
複数のアドレス電極線と、互いに対をなしてジグザグに配列された複数の走査電極線と維持電極線を含むプラズマ表示パネルと、外部の映像信号を補正して出力し、全ての負荷変化率を所定個数に区分し、区分された各部分の輝度制御速度を異なるように決定してテーブルに保存し、現在入力された映像信号の負荷率がどの段階に属するかを判断して前記負荷率によって新たな輝度値が維持される時間の逆数である輝度制御速度を決定し、決定された輝度制御速度で現在データの負荷率に該当する維持放電パルス情報を出力する制御部と、前記制御部から出力される補正データに対応するアドレスデータを生成して前記プラズマパネルの前記アドレス電極線に印加するアドレスデータ発生部と、前記制御部からの維持放電パルス情報に対応する維持パルスと走査パルスを各々生成して前記維持電極線と走査電極線に印加する維持走査パルス発生部とを含むプラズマ表示パネル装置。
【請求項８】
前記制御部は、負荷率を所定個数に区分し、負荷率によって新たな輝度値が維持される時間の逆数である輝度制御速度を各部分ごとに異なるように決定して保存しているメモリと、外部から入力される映像信号の負荷率を測定する平均信号レベル感知部と、現在入力されているデータの負荷率による輝度制御速度を前記メモリを参照して決定し、決定された輝度制御速度で現在負荷率に該当する維持放電パルス情報を出力する電力制御部とを含む、請求項７に記載のプラズマ表示パネル装置。
【請求項９】
全ての負荷率を所定個数の区画に区分し、区分された各部分の輝度制御速度を異なるように決定してテーブルに保存するデータを含む第１フィールドと、
現在入力されたデータの負荷率を計算するデータを含む第２フィールドと、
前記計算された負荷率がどの区画に属するかを判断し、前記負荷率が属する区画によって決められた新たな輝度値が維持される時間である輝度制御速度を決定するデータを含む第３フィールドと、
決定された輝度制御速度で現在データの負荷率に該当する維持放電パルス情報を出力するデータを含む第４フィールドを含むプラズマディスプレイパネルの自動電力制御方法のデータ構造を保存したコンピュータで読取り可能な媒体。
【発明の詳細な説明】
【技術分野】
【０００１】
本発明はプラズマ表示パネル装置に関し、特に、プラズマ表示パネルにおける自動電力制御の方法と装置、その装置を含むプラズマ表示パネル装置に関する。
【背景技術】
【０００２】
一般にプラズマ表示パネルはその駆動特性上消費電力が多いので、表示すべきフレームの平均信号レベル、つまり、負荷率に応じて消費電力を制御する装置が必要である。このように消費電力を制御する方法としては、自動電力制御により消費電力を制限する方法が用いられている。
【０００３】
図１は従来の自動電力制御方法を示す。図１において、横軸に示す負荷率（Ｌ）の全体範囲がＮ個の負荷率区画（０〜Ｌ１、Ｌ１〜Ｌ２,...,ＬＮ−１〜ＬＮ）に区分され、各負荷率区画（０〜Ｌ１、Ｌ１〜Ｌ２,...,ＬＮ−１〜ＬＮ）毎に相応しい表示毎放電回数（ＮＮ、ＮＮ−１,...,Ｎ１）が設定される。例えば、負荷率が最小区画（０〜Ｌ１）に属するフレームでは最多の表示毎放電回数ＮＮが適用される。これと反対に、負荷率が最大区画（ＬＮ−１〜ＬＮ）に属するフレームでは最少の表示毎放電回数Ｎ１が適用される。
【０００４】
前記のような従来技術による電力制御方法を用いて動画像を見る場合、瞬間的に画面が転換した時に、輝度が急激に変わる問題が発生し、これは画質の低下を招く。
【０００５】
一方、このような自動電力制御方法には高速自動電力制御と低速自動電力制御がある。高速自動電力制御では、入力データに相応しい消費電力に速やかに設定させるため、ルックアップテーブルである特定自動電力制御テーブルを用いて、目標消費電力に到達できるような処置を行う。低速自動電力制御では取り敢えず自動電力制御を適用した後、所定の時間内に特定自動電力制御に移行するようにして消費電力を制御する。
【０００６】
しかし、このような高速自動電力制御では、消費電力を減らすために入力データが指定する元来の明るさより画面を暗くするので、輝度変化を使用者が認識して不自然に感じるという問題がある。また低速自動電力制御では、輝度変化をヒトの目が認識できないだけで、明るさが急激に変わる動画像の場合に積算電力が非常に大きくなり、ピーク消費電力に接近するため電源供給装置やプラズマ表示パネル駆動部の電流容量を増加しなければならない。これによりプラズマ表示パネル駆動部の回路設計や放熱設計が難しくなり、素子の信頼性が低下するという短所がある。
【０００７】
図２は従来の高速（Ｆａｓｔ）／低速（ＳＬｏｗ）自動電力制御（ＡＰＣ）による消費電力調節状況を示すグラフである。
【０００８】
プラズマ表示パネル装置は表示毎放電回数によって輝度を制御する。輝度が高いフルホワイト画面の場合、ディスプレイの広さと表示毎放電回数の積に見合って消費電力が非常に多くなる問題があるので、プラズマ表示パネル装置のフルホワイト画面を実現するのがむずかしい。このような問題を防止するために、入力される映像データを特定の自動電力制御テーブルによって変換させ、標準的な表示毎放電回数を予め少なくして消費電力を低減させる。
【０００９】
図２に示す従来例では、高速自動電力制御（Ｆａｓｔ  ＡＰＣ）は映像データを即時処理し表示毎放電回数を少なくして表示する方式であり、低速自動電力制御（ＳＬｏｗ  ＡＰＣ）はデータの入力直後には高い輝度で表示するために表示毎放電回数を多くして表示した後、所定時間経過毎に順次に表示毎放電回数を減らし、つまり輝度を減らしながら特定の変換値に合せた最終輝度に到達させる方式である。
【００１０】
図３は電力制御による輝度の時間的変化状況を示す図である。高速自動電力制御の場合、表示毎放電回数を急に減らすことによって、所望の輝度からの変化が激しくなる。その結果、この急激な輝度変化をヒトの目が感知し、画面に閃きが生じたかのように見える。
【００１１】
一方、低速自動電力制御では、これと異なり、輝度変化が徐々に行われるので輝度変化をヒトの目が感知し難く、感性としての画質を向上させることができる。しかし、輝度の急変する画面が繰り返される場合、図２に示す積算電力が多くなってプラズマ表示パネルの寿命を低下させる。つまり、電源装置、駆動ボードなどの設計が難しく、部品のストレスが増加して製品の寿命が短くなる問題が発生する。
【発明の開示】
【発明が解決しようとする課題】
【００１２】
本発明が目的とする技術的課題は、このような従来の高速自動電力制御と低速自動電力制御の相互短所を解決するためのものであって、時間対消費電力曲線が所定個数の折れ曲がり点を有して、輝度変化によるヒトの目の認識率が落ちる高い階調では自動電力制御テーブル適用時間を短くし、輝度変化によるヒトの目の認識率が高い低い階調では自動電力制御テーブル適用時間を長くして積算電力を減らし、画面のバラツキなくすことである。また、本発明の他の技術的課題は、プラズマ表示パネルの駆動電力を制御する方法においてプラズマ表示パネルの画面で輝度の急激な変化を防止することである。
【課題を解決するための手段】
【００１３】
このような課題を解決するための本発明の一つの特徴によるプラズマ表示パネルの自動電力制御方法は、複数のアドレス電極線と、互いに対をなしてジグザグに配列された複数の走査電極線と維持電極線を含むプラズマ表示パネルの自動電力を制御方法であって、現在入力されているデータと直前入力データの間の負荷変化率を計算する段階と、計算された負荷変化率を予め決められた所定の個数の変化率区画境界値と比較してどの区画に属するかを決定する段階と、決定された区画に対応する輝度制御速度を決定する段階と、決定された輝度制御速度で現在データの負荷率に該当する維持放電パルス情報を出力する段階とを含む。
【００１４】
このような課題を解決するための本発明の他の特徴によるプラズマ表示パネルの自動電力制御装置は、複数のアドレス電極線と、互いに対をなしてジグザグに配列された複数の走査電極線と維持電極線を含むプラズマ表示パネルの自動電力制御装置において、外部から入力される映像信号の負荷率を測定する平均信号レベル感知部と、前記入力される映像信号データの負荷率を保存する第１メモリと、負荷率による維持放電パルス情報を保存している第２メモリと、現在入力されているデータと前記第１メモリに保存された直前入力データの間の負荷変化率を計算し、計算された負荷変化率を所定の個数の変化率区画境界値と比較して輝度制御速度を決定し、決定された輝度制御速度で負荷率に対応する維持放電パルス情報を出力する電力制御部と、映像信号を補正して出力する映像データ処理部とを含み、電力制御部と映像データ処理部及びメモリは小規模なコンピュータを構成している。
【００１５】
このような課題を解決するための本発明の他の特徴によるプラズマ表示パネル装置は、複数のアドレス電極線と、互いに対をなしてジグザグに配列された複数の走査電極線と維持電極線を含むプラズマ表示パネルと、外部の映像信号を補正して出力し、現在入力された映像信号の負荷率と直前の負荷率を比較して負荷変化率を計算し、計算された負荷変化率を所定の個数の変化率区画境界値と比較して新たな輝度値が維持される時間、または、その逆数である輝度制御速度を決定し、決定された輝度制御速度で現在入力された映像信号の負荷率に該当する維持放電パルス情報を出力する制御部と、前記制御部から出力される補正データに対応するアドレスデータを生成して前記プラズマパネルの前記アドレス電極線に印加するアドレスデータ発生部と、前記制御部からの維持放電パルス情報に対応する維持パルスと走査パルスを各々生成して前記維持電極線と走査電極線に印加する維持走査パルス発生部とを含む。
【００１６】
前記制御部は外部の映像信号を補正して出力し、全ての負荷変化率を所定の個数に区分し、区分された各部分の輝度制御速度を異なるように決定してテーブルに保存し、現在入力された映像信号の負荷率がどの段階に属するかを判断して前記負荷率によって新たな輝度値が維持される時間、または、その逆数である輝度制御速度を決定し、決定された輝度制御速度で現在データの負荷率に該当する維持放電パルス情報を出力することを特徴とする。
【００１７】
このような課題を解決するための本発明の他の特徴によるプラズマ表示パネルの自動電力制御方法は、複数のアドレス電極線と、互いに対をなしてジグザグに配列された複数の走査電極線と維持電極線を含むプラズマ表示パネルの自動電力を制御方法であって、全ての負荷率を所定の個数の区画に区分し、区分された各部分の輝度制御速度を異なるように決定してテーブルに保存する段階と、現在入力されているデータの負荷率を計算する段階と、前記計算された負荷率がどの区画に属するかを判断し、前記負荷率が属する区画によって決められた新たな輝度値が維持される時間、または、その逆数である輝度制御速度を決定する段階と、決定された輝度制御速度で現在データの負荷率に該当する維持放電パルス情報を出力する段階とを含む。
【００１８】
このような課題を解決するための本発明の他の特徴によるプラズマ表示パネルの自動電力制御装置は、複数のアドレス電極線と、互いに対をなしてジグザグに配列された複数の走査電極線と維持電極線を含むプラズマ表示パネルの自動電力制御装置において、負荷率を所定の個数に区分し、負荷率によって新たな輝度値が維持される時間、または、その逆数である輝度制御速度を各部分ごとに異なるように決定して保存しているメモリと、外部から入力される映像信号の負荷率を測定する平均信号レベル感知部と、現在入力されているデータの負荷率による輝度制御速度を前記メモリを参照して決定し、決定された輝度制御速度で現在負荷率に該当する維持放電パルス情報を出力する電力制御部とを含む。
【発明の効果】
【００１９】
本発明において、輝度変化によるヒトの認識率が落ちる高い階調では自動電力制御テーブルの適用時間を短くし、輝度変化によるヒトの認識率が高い低階調レベルでは自動電力制御テーブル適用時間を長くして従来に比べて積算電力を減らし、画面のバラツキをなくすことができる。
【００２０】
また、負荷変化率によって新たな輝度値が維持される時間、または、その逆数である輝度制御速度が異なるように適用して消費電力を減らすことができる。
【発明を実施するための最良の形態】
【００２１】
以下、このような本発明を通常の知識を有する者が容易に実施できるように添付した図面を参照して本実施の形態について説明する。
【００２２】
図４は本発明の第１の実施の形態によるプラズマ表示パネル装置の構成図である。
【００２３】
図４を参照すれば、本発明の実施の形態によるプラズマ表示パネル装置は、プラズマ表示パネル１００、制御部３００、アドレスデータ発生部２００、維持走査パルス発生部４００を含む。
【００２４】
プラズマ表示パネル１００は複数のアドレス電極線と、互いに平行配置され長手方向の位置を少しずらせてジグザグに配列されている走査電極線及び維持電極線の対を複数対含む。制御部３００は外部の映像信号を補正して出力し、現在入力されている映像信号の負荷率と直前の負荷率を比較して負荷変化率を計算し、計算された負荷変化率に相応しい輝度制御速度を決定し、決定された輝度制御速度で現在入力されている映像信号の負荷率に対応する維持放電パルス情報を出力する。ここで制御部３００は、全ての負荷変化率を分類するために、所定個数の変化率区画を設定し、各区画毎に輝度制御速度を異ならせる情報を制御テーブルに保存する。現在入力されている映像信号は、負荷率がどの区画に属するか判定されて、輝度値が段階的に変化する時に特定段階に維持される時間、または、その時間の逆数である輝度制御速度を決定する。輝度制御速度が決定されれば、現在データの負荷率に対応する維持放電パルス情報を出力することができ、前記２種類の制御を同時に行うこともできる。アドレスデータ発生部２００は制御部３００から出力される補正データに対応するアドレスデータを生成して前記プラズマパネルの前記アドレス電極線に印加する。維持走査パルス発生部４００は制御部３００からの維持放電パルス情報に対応する維持パルスと走査パルスを各々生成して前記維持電極線と走査電極線に印加する。なお、上記、段階的に変化、とは、第１の数値範囲から第２の数値範囲に移動することを意味する。なお、制御に必要な各種の基本データ及び制御命令は、図示されないが、ＲＡＭやＲＯＭのような半導体メモリに収納され、その内容は固定されていてもよいが、外部から受け取って、随時、書き込んでもよい。
【００２５】
図５は図４の制御部の内部構成を示す。
【００２６】
図５に示すように、制御部３００は映像データ処理部３１０、電力制御部３３０、平均信号レベル感知部３２０、第１メモリ３４０及び第２メモリ３５０を含む。
【００２７】
映像データ処理部３１０は映像信号を補正して出力する。第１メモリ３４０は直前フレームの負荷率を保存する。第２メモリ３５０は負荷率による維持放電パルス情報を保存している。平均信号レベル感知部３２０は外部から入力される映像信号の負荷率を測定して第１メモリ３４０に保存する。電力制御部３３０は現在入力されているデータと直前入力データの間の負荷変化率を計算し、計算された負荷変化率を所定個数の変化率区画境界値と比較して新たな輝度値を維持する時間、または、その逆数である輝度制御速度を決定し、決定された輝度制御速度で現在負荷率に該当する維持放電パルス情報を出力する。なお、上記、新たな輝度値を維持する時間、とは、一定不変の値に維持する状態以外にも、開始時点では直前値を許容するが終了時点では目標値に到達し、中間時点では両値の中間にある状態を意味する。
【００２８】
以下、このような構成を有する本発明の実施の形態によるプラズマ表示パネル用自動電力制御方法と装置、その装置を含むプラズマ表示パネル装置の動作について詳細に説明する。
【００２９】
まず、外部からデータ成分（Ｒ、Ｇ、Ｂ）と同期信号（ＨＳｙＮｃ、ＶＳｙＮｃ）を含む映像信号が入力される。
【００３０】
その後、映像データ処理部３１０はデータ成分（Ｒ、Ｇ、Ｂ）が統一された輝度レベルを実現するように補正する。
【００３１】
一方、平均信号レベル感知部３２０はデータ成分（Ｒ、Ｇ、Ｂ）の平均信号レベルを測定する。測定された平均信号レベルは電力制御部３３０と第１メモリ３４０に同時に入力される。
【００３２】
電力制御部３３０の負荷変化率計算部３３１は、平均信号レベル感知部３２０で現在測定されている負荷率と、第１メモリ３４０に既に保存されている直前入力データの負荷率から、負荷変化率を計算する（Ｓ１００）。
【００３３】
この時、負荷変化率は必要によって現在の１フレームの負荷率と直前１フレームまたは多様なフレームの平均を比較して負荷変化率を計算することができる。
【００３４】
次に、ＡＰＣ制御部３３２は計算された負荷変化率が複数個の変化率区画のうちどの区画に属するかを判断して新たな輝度値が維持される時間、または、その逆数である輝度制御速度を決定する（Ｓ２００）。この時、輝度制御速度を決定する過程を図７を参照して詳細に説明する。
【００３５】
フレーム間平均信号レベル（ＡＳＬ）の差分値である負荷変化率が変化率区画境界値１よりも小さければ（Ｓ２１０）、輝度制御速度をＶ１とし（Ｓ２１５）、負荷変化率が変化率区画境界値２よりも小さければ（Ｓ２１１）、輝度制御速度をＶ２とし（Ｓ２１６）、負荷変化率が変化率区画境界値Ｎ−１よりも小さければ（Ｓ２１２）、輝度制御速度をＶＮ−１とし（Ｓ２１７）、負荷変化率が変化率区画境界値Ｎよいも小さければ（Ｓ２１３）、輝度制御速度をＶＮとする（Ｓ２１７）。
【００３６】
以上の過程のように、負荷変化率をＮ個の区画に分類し、輝度制御速度もＮ個に分けて当該負荷変化率に対し輝度制御速度を決定する。この時、負荷変化率が大きくなるほど輝度制御速度も速くなるように制御し、必要に応じて実験値によって最も適切な数値を適用し、負荷変化率と輝度制御速度は反比例の関係にある。
【００３７】
このように輝度制御速度が決定されれば、タイマー３３３は輝度制御速度になるまで時間をチェックして、当該輝度制御速度になればＡＰＣ制御部３３２内部のＡＰＣ変化フラグが１であるか否か調べる（Ｓ３００）。
【００３８】
フラグが１であれば、ＡＰＣ制御部３３２は現在負荷率に該当する維持放電パルス情報を出力し、次のＡＰＣ段階を現在の段階から一段階進める（Ｓ４００）。
【００３９】
一方、ＡＰＣ変化フラグが１でなければ、ＡＰＣ制御部３３２は現在負荷率に該当する維持放電パルス情報を出力せず、次のＡＰＣ段階を現在の段階に維持する（Ｓ５００）。
【００４０】
ここで、ＡＰＣ制御部３３２はＡＰＣ段階を変化する時に安定動作領域内で変化させるが、これを詳細に説明する。
【００４１】
図８は負荷率（Ｌ／Ｒ）に応じて消費される電力を示したグラフであって、安定動作領域内で電力を制御する。図８によれば、安定動作領域は消費電力が５００Ｗである時下限基準値は負荷率が１５％、上限基準値は負荷率が２０〜３０％線で制御される。
【００４２】
図９はＡＰＣ制御部に適用されるアルゴリズムを示す。図９によれば、負荷率（Ｌ／Ｒ）の全体範囲を１００％として示しており、各負荷率範囲に相応しい表示毎放電回数（Ｎ0,Ｎ１,...,Ｎ１２7）が設定される。
【００４３】
動画像などで現在フレームでの負荷率、つまり、平均信号レベルが瞬間的に増加しても、維持放電パルス個数が徐々に減って輝度も徐々に減少し、急激に低下することはない。
【００４４】
また、画面転換などによって平均信号レベルが急に減少し安定動作領域を外れれば、維持放電パルス個数は減少した平均信号レベルに該当する下限基準値に直ちに移動して本来の輝度を示すことができる。
【００４５】
より詳しく説明すれば、負荷率の上限基準値が画面転換などの理由で上限基準値より大きくて直前の維持放電回数を維持する場合安定動作領域を逸脱する時、目標自動電力制御（ＡＰＣ）段階に直ちに移動するようにする変化率区画境界値が上限基準値であり、下限値はその反対概念である。
【００４６】
つまり、現在負荷率が変わった時、直前の維持放電パルス個数を維持する場合安定動作領域を逸脱すれば、維持放電パルス個数を下限または上限基準値に設定する。
【００４７】
つまり、負荷率が増加した場合は上限基準値に維持放電パルス個数を制限し、負荷率が減少した場合は下限基準値に維持放電パルス個数を設定する。
【００４８】
一方、平均信号レベルの変化量が少ない場合には従来技術のように負荷率に対応する表示毎放電回数が適用される。つまり、負荷率が変わる時、直前の維持放電パルス個数を維持する場合安定動作領域内にあれば、維持放電パルス個数は予め決められた自動電力制御段階を所定時間維持しながら下限基準値として受け入れるように設定する。
【００４９】
つまり、第２メモリ３５０に保存された負荷率による維持放電回数は負荷率によって安定動作領域の上限基準値から下限基準値に徐々に受け入れるように設計されている。
【００５０】
このような過程を経てＡＰＣ制御部３３２は決定された輝度制御速度で現在の負荷率に相応しい維持放電パルス情報を維持走査パルス発生部４００に出力する。
【００５１】
その後、維持走査パルス発生部４００は維持放電パルス情報を受信し、当該輝度制御速度で負荷率に対応する維持放電パルス個数を第２メモリ３５０から読み出して維持パルスと走査パルスを各々発生して維持電極線と走査電極線に印加する。
【００５２】
一方、アドレスデータ発生部２００も映像データ処理部３１０から出力される補正データに対応するアドレスデータを生成してアドレス電極線に印加する。
【００５３】
次に、プラズマ表示パネル１００には映像データが表示される。
【００５４】
このように新たな輝度値が維持される時間を負荷率の変化が大きい時は短くし、負荷率の変化が小さい時は長くして従来に比べて積算電力を減らすことができる。
【００５５】
このように消費電力が節約されることを実験により確認し、測定した値を図１０に示した。
【００５６】
図１０によれば、積算電力が従来に比べて非常に減ったことが分かる。この時、測定装置はアナログ電力測定系と消費電力計、ＣＡ−１００を使用しており、測定パネルは４２インチＳ１．０パネルであり、測定条件は１時間、ガンマ、誤差拡散を適用した条件である。
【００５７】
本願発明の第１の実施の形態によるプラズマ表示パネル装置では輝度制御速度を決定するために現フレームと直前フレームの平均信号レベルの差を利用した。
【００５８】
しかし、このような計算方法は特定画面で誤った情報を与える可能性もある。図１１は動映像で３個のフレームをフレーム単位で示した図面である。
【００５９】
図１１を参照すれば、実際に画面は変化しているが、フレーム間の差は０になる。
【００６０】
したがって、現フレームと直前フレームの平均信号レベル差を利用することによって生じるエラーを減らすために一つのフレームを所定の個数のブロックに分け、ブロック別平均信号レベルの差分値を利用することができ、このようにブロックを９個に指定した方法を第２の実施の形態として図１２に示した。
【００６１】
図１２に示す第２の実施の形態では、１個のフレームを９ブロックに分けて各ブロック別に差異値を計算するので差異値が生じる。このような図１２の方法を適用した制御部３００の構成を第２の実施の形態として図１３に示した。
【００６２】
図１３を参照すれば、本発明の第２の実施の形態による制御部３００は映像データ処理部３１０、電力制御部３３０、平均信号レベル感知部３２０、第１メモリ３４０及び第２メモリ３５０を含む。
【００６３】
映像データ処理部３１０は映像信号を補正して出力する。９個のブロックメモリ１１１１〜１１１９（全体としては番号３４０）は直前フレームの負荷率を保存する。第２メモリ３５０は負荷率による維持放電パルス情報を保存している。９個の平均信号レベル（ＡＳＬ）感知部１００１〜１００９（全体としては番号３２０）は外部から入力される映像信号の負荷率をブロック別に測定して前記ブロックメモリ１１１１〜１１１９に各々保存する。電力制御部３３０は現在入力されているデータと直前入力データの間の各ブロック別に負荷変化率を各々計算して合せ、合算負荷変化率を所定の個数の変化率区画境界値と比較して新たな輝度値を維持する時間、または、その逆数である輝度制御速度を決定し、決定された輝度制御速度で現在負荷率に該当する維持放電パルス情報を出力する。
【００６４】
前記電力制御部３３０は、現在入力されているデータと直前入力データの間の各ブロック別に負荷変化率を各々計算する９個の負荷変化率計算部１２１１〜１２１９、前記９個の負荷変化率を合せる合算部３３４、前記合算部で合算された負荷変化率を所定の個数の変化率区画境界値と比較して新たな輝度値を維持する時間、または、その逆数である輝度制御速度を決定し、決定された輝度制御速度で現在負荷率に該当する維持放電パルス情報を出力するＡＰＣ制御部３３２を含む。
【００６５】
ここで、第２の実施の形態による制御部３００は平均信号レベル（ＡＳＬ）感知部１００１〜１００９、負荷変化率計算部１２１１〜１２１９、ブロックメモリ１１１１〜１１１９が９個ずつであり、９個の負荷変化率を合算するための合算部３３４が追加されたことが特徴である。また、残り構成要素は前記実施の形態と同一であるので同一図面番号を付与した。
【００６６】
このようにブロックを９個に細分化した例は一例として示したことに過ぎず、必要に応じて多様に変形が可能である。
【００６７】
動作面においても前述した実施の形態とほとんど同様であり、平均信号レベル感知部１００１〜１００９が図１２に示された各々の当該ブロックの負荷率を感知して９個の負荷変化率計算部１２１１〜１２１９で計算し、ブロックメモリ１１１１〜１１１９に保存する。
【００６８】
負荷変化率計算部１２１１〜１２１９が現在入力されている各ブロックのデータと直前に入力された各データの間の負荷変化率を各々計算して出力する。
【００６９】
合算部３３４は負荷変化率計算部１２１１〜１２１９から出力されるそれぞれの負荷変化率を合算して出力する。
【００７０】
次に、ＡＰＣ制御部３３２は合せた負荷変化率を所定の個数の変化率区画境界値と比較して新たな輝度値を維持する時間、または、その逆数である輝度制御速度を決定し、決定された輝度制御速度で現在負荷率に該当する維持放電パルス情報を出力する。
【００７１】
このように作動する第２の実施の形態は負荷変化率をブロック単位に計算するので画面の微細な変化にも対応することができる。
【００７２】
図１４は図４の制御部の第３の実施の形態であって、内部構成を示す。図１４を参照すれば、制御部３００は映像データ処理部３１０、電力制御部３３０平均信号レベル感知部３２０及びメモリ３５０を含む。映像データ処理部３１０は映像信号を補正して出力する。メモリ３５０は負荷率を所定個数の区画に区分し、負荷率によって新たな輝度値が維持される時間、または、その逆数である輝度制御速度を各部分ごとに異なるように決定して保存しており、負荷率に対応する維持放電パルス情報を保存している。平均信号レベル感知部３２０は外部から入力される映像信号の負荷率を測定する。電力制御部３３０は現在入力されているデータの負荷率による輝度制御速度を前記メモリを参照して決定し、決定された輝度制御速度で現在負荷率に該当する維持放電パルス情報を出力する。
【００７３】
以下、このような構成を有する本発明の第３の実施の形態によるプラズマ表示パネルの自動電力を制御方法と装置の動作について詳細に説明する。
【００７４】
まず、外部からデータ成分（Ｒ、Ｇ、Ｂ）と同期信号（ＨＳｙＮｃ、ＶＳｙＮｃ）を含む映像信号が入力される。
【００７５】
次に、映像データ処理部３１０はデータ成分（Ｒ、Ｇ、Ｂ）が統一された輝度レベルを実現するように補正する。
【００７６】
一方、平均信号レベル感知部３２０はデータ成分（Ｒ、Ｇ、Ｂ）の平均信号レベルを測定する。測定された平均信号レベルは電力制御部３３０に入力される。
【００７７】
電力制御部３３０は平均信号レベル感知部３２０で現在測定される負荷率がメモリ３５０に保存されている負荷率の区画の中でどの区画に該当するかを判断する。この時負荷率の区画によって新たな輝度値を維持する時間が変わるが、これを図１５に示した。
【００７８】
図１５によれば、負荷率の１２７段階を従来は所定の時間間隔で新たな輝度値を適用するが、本発明の実施の形態では各区画ごとに異なる時間を適用する。つまり、従来型の等時間間隔用自動電力制御ルックアップテーブルから、時間対消費電力曲線が指定された折れ曲がり点を有する自動電力制御ルックアップテーブルに変更して適用する。
【００７９】
次に、電力制御部３５０は負荷変化率が属する区画の輝度制御速度をメモリから持ってくる。この時、メモリ３５０には図５のような区画によって異なる輝度制御速度を保存するが、これは必要に応じて様々な個数の区画に変形することができる。ここで、輝度制御速度は現在のフレームの負荷率に対する輝度制御が行なわれて、途中で新たな輝度値が適用されるのにかかる時間を意味する。
【００８０】
その後、電力制御部３５０は決定された輝度制御速度で現在の負荷率に相応しい維持放電パルス情報を維持走査パルス発生部４００に出力する。
【００８１】
維持走査パルス発生部４００は維持放電パルス情報を受信し、当該輝度制御速度で負荷率に該当する維持放電パルス個数をメモリ３５０から持ってきて維持パルスと走査パルスを各々発生して維持電極線と走査電極線に印加する。
【００８２】
一方、アドレスデータ発生部２００も映像データ処理部３１０から出力される補正データに対応するアドレスデータを生成してアドレス電極線に印加する。
【００８３】
その結果、プラズマ表示パネル１００には映像データが表示される。
【００８４】
このように新たな輝度値が維持される時間を輝度変化によってヒトの認識率が落ちる高階調レベルでは短くし、輝度変化によるヒトの認識率が高くなる低階調レベルでは長くして、従来技術に比べて積算電力を減らし、画面のバラツキもなくすことができる。
【００８５】
これをもう少し詳細に説明する。
【００８６】
図１６は視感による輝度変化を示した図面である。
【００８７】
図１６によれば、自動電力制御による輝度変化は、高速自動電力制御の場合に指定された負荷率以上であるならば、上位限度の輝度に抑制されて実際の消費者が望む輝度を出すことができず、画面にバラツキが出る。これに反し、低速自動電力制御では、輝度を望んでいる最大限に出力し、これを徐々に所定の等間隔で低減させて消費者が輝度に適応して輝度変化をほとんど感じなくする。本発明の実施の形態の自動電力制御は負荷率が非常に大きい時には初期の輝度減殺速度を非常に速くし、これを図１７のように、時間対消費電力曲線が所定の折れ曲がり点を有するようにするならば、時間の経過に伴って輝度変化が低速自動電力制御よりも、更に緩やかに落ちるので消費者が輝度変化をほとんど感じない。これによって高速自動電力制御の最も大きい短所である急激な輝度変化を補償しながらも消費電力を節減することができる。
【００８８】
図１７は時間による消費電力を示した図面である。
【００８９】
図１７は従来技術の方式と本発明の実施の形態による自動電力制御との消費電力の状況を時間軸上で比較した図面である。図１７から分かるように、本発明の実施の形態による自動電力制御を適用した場合は、従来型の高速と低速の中間となり、高速自動電力制御に比べて輝度変化が速く、ヒトの輝度変化認識度は低いので、感性としての画質面で劣悪な点を補充し、低速自動電力制御に比べて電力が減少して積算電力の増加を防止ことができる。
【００９０】
本発明の自動電力制御方法はコンピュータで読み取りが可能な媒体により、保存され或いは伝送された、コンピュータで実行可能な命令によって実現することができる。コンピュータで読み取りができる媒体とは、可能な限りすべての種類の媒体を意味し、コンピュータで読取り可能なデータはコンピュータ或いはプロセッサユニットによって読取り可能な或る種の媒体にデータが保存されたり、含まれたりまたは含むことができる。
【００９１】
コンピュータで読み取り可能な媒体とは、制限されない範囲で記録媒体（磁気的保存媒体（例えば、磁気的読取り専用メモリ（マグネチックＲＯＭ）、フレキシブルディスク、ハードディスク、磁気テープなど）、光読取媒体（例えば、ＣＤＲＯＭ、ＤＶＤ、光カード、映画フィルム、ホログラム記録媒体など）、ハイブリッド磁気光ディスク、機械式記録円盤のような保存媒体と、システム固定メモリ（ＲＯＭ，ＲＡＭ）、着脱可能なメモリ（フラッシュメモリ）、他の揮発性或いは非揮発性メモリなどの半導体媒体）と、伝送媒体（電子媒体、電磁気媒体、赤外線、そして搬送波のような他の通信媒体など）を含む。
【００９２】
通信媒体は一般的にコンピュータで読取が可能な命令、データ構造、プログラムモジュールまたはモジュール化した信号の他のデータで構成されるが、モジュール化した信号は搬送波またはある情報伝達媒体を含む他の伝送メカニズムなどである。
【００９３】
通信媒体のようなコンピュータで読取り可能な媒体は高周波、赤外線波のような無線媒体と有線ネットワークのような有線媒体を含む。また、コンピュータで読取り可能な媒体はネットワークを通じて連結されたコンピュータに分散されたコンピュータで読取り可能なコードを保存したり実行することが可能である。
【００９４】
コンピュータで読取り可能な媒体はまた、プロセッシングシステム内にあるかプロセッシングシステムに地域的或いは遠隔であるマルチプロセッシングシステムの間に分散されている、使用するために接続されていたり或いは接続できるコンピュータで読取り可能な媒体を含む。
【００９５】
本発明は、本発明の技術を示すデータを含む複数の分野を含むデータ構造が保存されたコンピュータで読取り可能な媒体を含むことが可能である。
【００９６】
図１８に本発明のコンピュータで実行できる命令を含むコンピュータで読取り可能な媒体を読取り可能なコンピュータの例を示しており、コンピュータの例はこれに限られない。
【００９７】
図において、コンピュータ８００は、各構成部分を制御し、主たる演算機構を有するプロセッサ８０２を含む。
【００９８】
プロセッサ８０２は、コンピュータで読取り可能なように記録された媒体を含むコンピュータで読取り可能なメモリ装置８０６とシステムメモリ８０４を使用する。
【００９９】
プロセッサ８０２は、システムバスにより、ネットワークインタフェース８０８、モデム８１２或いはインターネットのようなネットワークまたは他のコンピュータとの連結を行う他のインタフェースに連結される。
【０１００】
システムバスはまた、多様な装置との連結を行う入出力インタフェース８１０にも接続できる。
【０１０１】
本発明は、前記実施の形態に限定されず、請求範囲で定義された発明の思想及び範囲内で当業者によって変形及び改良できる。
【図面の簡単な説明】
【０１０２】
【図１】従来の自動電力制御方法を示す。
【図２】従来の高速（Ｆａｓｔ）／低速（ＳＬｏｗ）自動電力制御（ＡＰＣ）による消費電力調節状況を示すグラフである。
【図３】電力制御による輝度の時間的変化状況を示す図である。
【図４】本発明の実施の形態によるプラズマ表示パネル装置の構成図である。
【図５】図４の制御部の構成図である。
【図６】本発明の第１の実施の形態によるプラズマ表示パネルの自動電力制御方法の動作フローチャートである。
【図７】図６の輝度制御速度を決定する段階の詳細図である。
【図８】本発明の実施の形態の負荷率による電力を示したグラフである。
【図９】本発明の実施の形態の負荷率による維持放電回数を示す図面である。
【図１０】従来と本発明の実施の形態での消費電力を実験を通じて測定した結果を示した図面である。
【図１１】本願発明の第１の実施の形態による制御部で負荷変化率を測定する方法を示した図面である。
【図１２】本願発明の第２の実施の形態による制御部で負荷変化率を測定する方法を示した図面である。
【図１３】本願発明の第２の実施の形態による制御部の構成図である。
【図１４】本発明の第３の実施の形態による制御部の構成図である。
【図１５】本発明の第３の実施の形態による制御部の負荷率による輝度制御速度を示した図面である。
【図１６】本発明の第３の実施の形態による制御部の時間による輝度変化を示した図面である。
【図１７】本発明の第３の実施の形態による制御部の時間による消費電力を示した図面である。
【図１８】本発明のプラズマ表示パネル装置の自動電力制御方法を行うコンピュータ実行命令が収納され、コンピュータで読み取りが可能な記録媒体を含むコンピュータの例を示す。
【符号の説明】
【０１０３】
１００    プラズマ表示パネル、
２００    アドレスデータ発生部、
３００    制御部、
３１０    映像データ処理部、
３２０    平均信号レベル感知部、
３３０    電力制御部、
３３２    ＡＰＣ制御部、
３３３    タイマー、
３４０    第１メモリ、
３５０    第２メモリ、
４００    維持走査パルス発生部、
８００    コンピュータ、
８０２    中央制御部、
８０４    システムメモリ、
８０６    コンピュータ可読メモリ装置、
８０８    ネットワークインタフェース、
８１０    入出力インタフェース、
８１２    モデム、
１００１〜１００９    平均信号レベル感知部、
１１１１〜１１１９    ブロックメモリ、
１２１１〜１２１９    負荷変化率計算部。
【図１】
2009064026.tif 000003
【図２】
2009064026.tif 000004
【図３】
2009064026.tif 000005
【図４】
2009064026.tif 000006
【図５】
2009064026.tif 000007
【図６】
2009064026.tif 000008
【図７】
2009064026.tif 000009
【図８】
2009064026.tif 000010
【図９】
2009064026.tif 000011
【図１０】
2009064026.tif 000012
【図１１】
2009064026.tif 000013
【図１２】
2009064026.tif 000014
【図１３】
2009064026.tif 000015
【図１４】
2009064026.tif 000016
【図１５】
2009064026.tif 000017
【図１６】
2009064026.tif 000018
【図１７】
2009064026.tif 000019
【図１８】
2009064026.tif 000020